(57)【要約】【課題】  ケーブルテレビ事業者が自主放送を行う際に、自主放送の視聴のための操作が容易で、ケーブルテレビ事業者が視聴者に対して自主放送の視聴を効果的に促すケーブルテレビ放送装置、受信機、ケーブルテレビ放送システム、ケーブルテレビ放送方法、およびケーブルテレビ受信方法を提供する。【解決手段】  ケーブルテレビ放送装置は、同時再送信する地上デジタル放送波からそれら地上デジタル放送のリモートコントロールキー識別番号をそれぞれ判別する。それらリモートコントロールキー識別番号に基づいて、自主放送のリモートコントロールキー識別番号を設定する。そして、自主放送のリモートコントロールキー識別番号が記述された番組配列情報を設定し、当該番組配列情報を自主放送用のコンテンツのデジタル放送信号に含ませて送出する。【選択図】  図２
2006345380.tif 000002
【特許請求の範囲】
【請求項１】
ケーブルテレビ網を介して、同時再送信する地上デジタル放送とは異なった自主放送のデジタル放送信号を特定の変調方式で伝送するケーブルテレビ放送装置であって、
前記自主放送用のコンテンツを取得してデジタル放送信号を出力する入力部と、
前記同時再送信する地上デジタル放送波から当該地上デジタル放送のリモートコントロールキー識別番号が少なくとも記述された情報をそれぞれ取得する再送信情報取得部と、
前記再送信情報取得部が取得した情報からそれぞれリモートコントロールキー識別番号を判別するリモコンキー番号判別部と、
前記リモコンキー番号判別部が判別したリモートコントロールキー識別番号に基づいて、前記自主放送のリモートコントロールキー識別番号を設定するリモコンキー番号設定部と、
前記リモコンキー番号設定部が設定した自主放送のリモートコントロールキー識別番号が記述された番組配列情報を設定する番組配列情報設定部と、
前記番組配列情報設定部が設定した番組配列情報を前記入力部から出力されるデジタル放送信号に含ませて多重する多重部と、
前記多重部が多重したデジタル放送信号を前記特定の変調方式で変調して送出する変調部とを備える、ケーブルテレビ放送装置。
【請求項２】
前記リモコンキー番号設定部は、前記リモコンキー番号判別部が判別した全てのリモートコントロールキー識別番号と重複しない番号を、前記自主放送のリモートコントロールキー識別番号に設定することを特徴とする、請求項１に記載のケーブルテレビ放送装置。
【請求項３】
前記再送信情報取得部が取得する情報は、地上デジタル放送波に含まれるＮＩＴ（Ｎｅｔｗｏｒｋ  Ｉｎｆｏｒｍａｔｉｏｎ  Ｔａｂｌｅ）を含む情報であり、
前記リモートコントロールキー識別番号は、前記ＮＩＴに記述されたリモートコントロールキーＩＤ（ｒｅｍｏｔｅ＿ｃｏｎｔｒｏｌ＿ｋｅｙ＿ｉｄ）で示される数値であることを特徴とする、請求項１に記載のケーブルテレビ放送装置。
【請求項４】
前記番組配列情報設定部は、ネットワークＩＤ（ｎｅｔｗｏｒｋ＿ｉｄ）、トランスポートストリームＩＤ（ｔｒａｎｓｐｏｒｔ＿ｓｔｒｅａｍ＿ｉｄ）、およびオリジナルネットワークＩＤ（ｏｒｉｇｉｎａｌ＿ｎｅｔｗｏｒｋ＿ｉｄ）の少なくとも１つに前記自主放送を示す数値を記述したＮＩＴを前記番組配列情報に含ませて設定することを特徴とする、請求項１に記載のケーブルテレビ放送装置。
【請求項５】
ケーブルテレビ網を介して、ケーブルテレビ放送装置から同時再送信された地上デジタル放送および当該同時再送信された放送とは異なった自主放送のデジタル放送信号を受信する受信機であって、
前記ケーブルテレビ網を介してデジタル放送信号を受信する受信部と、
前記受信部が受信したデジタル放送信号から番組配列情報を取得する情報取得部と、
前記情報取得部が取得した番組配列情報に含まれるリモートコントロールキーＩＤ（ｒｅｍｏｔｅ＿ｃｏｎｔｒｏｌ＿ｋｅｙ＿ｉｄ）、ネットワークＩＤ（ｎｅｔｗｏｒｋ＿ｉｄ）、トランスポートストリームＩＤ（ｔｒａｎｓｐｏｒｔ＿ｓｔｒｅａｍ＿ｉｄ）、およびオリジナルネットワークＩＤ（ｏｒｉｇｉｎａｌ＿ｎｅｔｗｏｒｋ＿ｉｄ）の少なくとも１つを用いて、前記自主放送を判別する判別部と、
前記判別部が自主放送を判別したとき、当該自主放送の受信に関する前記受信部の動作を設定する自主放送受信設定部とを備える、受信機。
【請求項６】
前記受信機は、
視聴者が複数の数値から１つの数値を選択することによって、前記受信部が受信するデジタル放送信号の選局を行う数値選局部と、
自主放送用の前記数値をリモートコントロールキー識別番号として格納するリモコンキーＩＤ格納部を、さらに備え、
前記判別部は、前記番組配列情報に含まれるリモートコントロールキーＩＤが示す数値と前記リモコンキーＩＤ格納部に格納されたリモートコントロールキー識別番号との一致によって、前記自主放送を判別することを特徴とする、請求項５に記載の受信機。
【請求項７】
前記自主放送受信設定部は、前記判別部が前記番組配列情報に含まれるネットワークＩＤ、トランスポートストリームＩＤ、およびオリジナルネットワークＩＤの少なくとも１つを用いて前記自主放送を判別したとき、当該番組配列情報に含まれるリモートコントロールキーＩＤが示す数値を前記リモコンキーＩＤ格納部にリモートコントロールキー識別番号として格納することを特徴とする、請求項６に記載の受信機。
【請求項８】
前記受信機は、視聴者の操作に応じて前記自主放送のみを選局する自主放送選局部を、さらに備え、
前記自主放送受信設定部は、前記判別部が自主放送を判別したとき、前記受信部が当該自主放送を受信するための選局情報を設定し、
前記受信部は、前記自主放送選局部への操作に応じて、前記選局情報に基づいたデジタル放送信号を受信することを特徴とする、請求項５に記載の受信機。
【請求項９】
前記自主放送受信設定部は、前記判別部が判別した自主放送を所定の並び位置に配置して、電子番組表における地上デジタル放送および自主放送の並び順を設定するＥＰＧ並び順設定部を含み、
前記受信機は、前記ＥＰＧ並び順設定部が設定した並び順に基づいて、表示装置に表示する電子番組表の放送局表示順を制御するＥＰＧ表示制御部を、さらに備える、請求項５に記載の受信機。
【請求項１０】
前記受信機は、
前記受信機が起動したときに最初に選局するデジタル放送信号を示す選局情報を格納する選局情報格納部と、
前記受信機が起動したとき、前記選局情報格納部に格納された選局情報に基づいて、前記受信部が受信するデジタル放送信号を選局する選局制御部とを、さらに備え、
前記自主放送受信設定部は、前記判別部が判別した自主放送に関する選局情報を前記選局情報格納部に格納することを特徴とする、請求項５に記載の受信機。
【請求項１１】
ケーブルテレビ網を介して、同時再送信する地上デジタル放送とは異なった自主放送のデジタル放送信号を特定の変調方式で伝送するケーブルテレビ放送装置と当該デジタル放送信号を受信する受信機とを含むケーブルテレビ放送システムであって、
前記ケーブルテレビ放送装置は、
前記自主放送用のコンテンツを取得してデジタル放送信号を出力する入力部と、
前記同時再送信する地上デジタル放送波から当該地上デジタル放送のリモートコントロールキー識別番号が少なくとも記述された情報をそれぞれ取得する再送信情報取得部と、
前記再送信情報取得部が取得した情報からそれぞれリモートコントロールキー識別番号を判別するリモコンキー番号判別部と、
前記リモコンキー番号判別部が判別したリモートコントロールキー識別番号に基づいて、前記自主放送のリモートコントロールキー識別番号を設定するリモコンキー番号設定部と、
前記リモコンキー番号設定部が設定した自主放送のリモートコントロールキー識別番号が記述された番組配列情報を設定する番組配列情報設定部と、
前記番組配列情報設定部が設定した番組配列情報を前記入力部から出力されるデジタル放送信号に含ませて多重する多重部と、
前記多重部が多重したデジタル放送信号を前記特定の変調方式で変調して前記ケーブルテレビ網に送出する変調部とを備え、
前記受信機は、
前記ケーブルテレビ網を介してデジタル放送信号を受信する受信部と、
前記受信部が受信したデジタル放送信号から番組配列情報を取得する情報取得部と、
前記情報取得部が取得した番組配列情報に含まれるリモートコントロールキーＩＤ（ｒｅｍｏｔｅ＿ｃｏｎｔｒｏｌ＿ｋｅｙ＿ｉｄ）、ネットワークＩＤ（ｎｅｔｗｏｒｋ＿ｉｄ）、トランスポートストリームＩＤ（ｔｒａｎｓｐｏｒｔ＿ｓｔｒｅａｍ＿ｉｄ）、およびオリジナルネットワークＩＤ（ｏｒｉｇｉｎａｌ＿ｎｅｔｗｏｒｋ＿ｉｄ）の少なくとも１つを用いて、前記自主放送を判別する判別部と、
前記判別部が自主放送を判別したとき、当該自主放送の受信に関する前記受信部の動作を設定する自主放送受信設定部とを備える、ケーブルテレビ放送システム。
【請求項１２】
ケーブルテレビ網を介して、同時再送信する地上デジタル放送とは異なった自主放送のデジタル放送信号を特定の変調方式で伝送するケーブルテレビ放送方法であって、
前記自主放送用のコンテンツを取得してデジタル放送信号を出力する入力ステップと、
前記同時再送信する地上デジタル放送波から当該地上デジタル放送のリモートコントロールキー識別番号が少なくとも記述された情報をそれぞれ取得する再送信情報取得ステップと、
前記再送信情報取得ステップで取得した情報からそれぞれリモートコントロールキー識別番号を判別するリモコンキー番号判別ステップと、
前記リモコンキー番号判別ステップで判別したリモートコントロールキー識別番号に基づいて、前記自主放送のリモートコントロールキー識別番号を設定するリモコンキー番号設定ステップと、
前記リモコンキー番号設定ステップで設定した自主放送のリモートコントロールキー識別番号が記述された番組配列情報を設定する番組配列情報設定ステップと、
前記番組配列情報設定ステップで設定した番組配列情報を前記入力ステップで出力されるデジタル放送信号に含ませて多重する多重ステップと、
前記多重ステップで多重したデジタル放送信号を前記特定の変調方式で変調して送出する変調ステップとを含む、ケーブルテレビ放送方法。
【請求項１３】
ケーブルテレビ網を介して、同時再送信された地上デジタル放送および当該同時再送信された放送とは異なった自主放送のデジタル放送信号を受信するケーブルテレビ受信方法であって、
前記ケーブルテレビ網を介してデジタル放送信号を受信する受信ステップと、
前記受信ステップで受信したデジタル放送信号から番組配列情報を取得する情報取得ステップと、
前記情報取得ステップで取得した番組配列情報に含まれるリモートコントロールキーＩＤ（ｒｅｍｏｔｅ＿ｃｏｎｔｒｏｌ＿ｋｅｙ＿ｉｄ）、ネットワークＩＤ（ｎｅｔｗｏｒｋ＿ｉｄ）、トランスポートストリームＩＤ（ｔｒａｎｓｐｏｒｔ＿ｓｔｒｅａｍ＿ｉｄ）、およびオリジナルネットワークＩＤ（ｏｒｉｇｉｎａｌ＿ｎｅｔｗｏｒｋ＿ｉｄ）の少なくとも１つを用いて、前記自主放送を判別する判別ステップと、
前記判別ステップで自主放送を判別したとき、当該自主放送の受信に関する前記受信ステップの動作を設定する自主放送受信設定ステップとを含む、ケーブルテレビ受信方法。
【発明の詳細な説明】
【技術分野】
【０００１】
本発明は、ケーブルテレビ放送装置、受信機、ケーブルテレビ放送システム、ケーブルテレビ放送方法、およびケーブルテレビ受信方法に関し、より特定的には、ケーブルテレビ事業者が自ら制作した番組を自主放送として提供できるケーブルテレビ放送装置、受信機、ケーブルテレビ放送システム、ケーブルテレビ放送方法、およびケーブルテレビ受信方法に関する。
【背景技術】
【０００２】
従来、ケーブルテレビ事業者は、自ら制作した番組を自主放送（コミュニティチャンネル）として放送している。ここで、ケーブルテレビにおける自主放送は、主にケーブルテレビ事業者の自主制作番組の放送であり、同時再送信する放送以外は全て自主放送に区分される。この自主放送は、地上アナログ放送と同じ方式で地上アナログ放送が受信できるテレビ等の受信機向けにサービスされている。今後、地上アナログ放送がデジタル放送に移行すれば、ケーブルテレビ事業者から視聴者までの送信もデジタル放送のみしか行われなくなると推測され、上記自主放送チャネルのデジタル化がケーブルテレビ事業者から強く要望されている。
【０００３】
ここで、アナログ放送では、１つの周波数（チャネル）に対して１つのテレビサービス（番組）を実施している。このため、アナログ用の受信機では、アナログ放送を放送局、チャネル、および提供されるテレビサービスをそれぞれ結び付けて認識していた。
【０００４】
一方、地上デジタル放送では、１つの周波数に対して複数のテレビサービスが実施可能である。また、地上デジタル放送では、従来のアナログ放送で視聴者が認識していたチャネル番号と同じ番号でデジタル放送を受信できるように設定されている。具体的には、地上デジタルの放送局は、それぞれ視聴者の受信機を操作するリモコンに装備されたワンタッチボタンへの割り当てを希望する番号を、放送波の中のＰＳＩ（Ｐｒｏｇｒａｍ  Ｓｐｅｃｉｆｉｃ  Ｉｎｆｏｒｍａｔｉｏｎ：番組配列情報）に含まれるＮＩＴ（Ｎｅｔｗｏｒｋ  Ｉｎｆｏｒｍａｔｉｏｎ  Ｔａｂｌｅ）上のリモコンキーＩＤによって１〜１２のワンタッチボタン番号を指定する。つまり、地上デジタル放送でも、従来のアナログ放送のチャネル番号での選局に準じた方法でデジタル放送の選局操作を行える仕組みが設けられている（例えば、非特許文献１参照）。
【０００５】
非特許文献１ではＴＳ（Ｔｒａｎｓｐｏｒｔ  Ｓｔｒｅａｍ）情報記述子（図４参照）を定め、ＴＳ情報記述子をＮＩＴの２ｎｄループに配置している。ＴＳ情報記述子中にはリモコンキーＩＤ（ｒｅｍｏｔｅ＿ｃｏｎｔｒｏｌ＿ｋｅｙ＿ｉｄ）が記述されており、視聴者の受信機ではこのリモコンキーＩＤに基づいてリモコンのワンタッチボタンへの登録を行っている。
【０００６】
また、地上デジタル放送における選局は、放送局に独自の番号であるサービスＩＤ（ｓｅｒｖｉｃｅ＿ｉｄ）が利用される。例えば、サービスＩＤは、ＢＳデジタル放送や東経１１０度ＣＳデジタル放送等において３桁のチャネル番号と一致している。一方、地上デジタル放送では多くの放送局が存在し、受信地域によりサービスが異なる等の事情によって、サービスＩＤは地域識別、サービス種別、およびサービス番号等の識別番号等から構成されるため、視聴者に提示するには複雑な番号となっている。このため、地上デジタル放送では、上記リモコンキーＩＤに基づいてリモコン等での選局時に用いる３桁のチャネル番号を別途生成することにより、視聴者の利便性をはかっている。視聴者がこの３桁のチャンネル番号を入力すると、受信機はこの３桁のチャネル番号をサービスＩＤに変換し、選局を行っている。
【０００７】
しかしながら、リモコンキーＩＤは、同一県域内の放送局の間ではユニーク性が保たれているが、例えば県域外の放送も受信できる県境等に設置された受信機では、受信可能な放送局の間でリモコンキーＩＤが重複する場合がある。このような場合、同一の３桁のチャネル番号が存在することになり、視聴者が３桁のチャネル番号を指定してダイレクト選局を行うと、希望する放送局を受信できないことがある。そこで、３桁チャネル番号を用いて地上デジタル放送を選局するとき、同じ３桁のチャネル番号が存在する場合、それぞれに異なる枝番号（識別符号）を付加して登録し、これらの枝番号までを指定することで、３桁のチャネル番号選局に伴う弊害を回避できる地上デジタル放送の選局方法が開発されている（例えば、特許文献１参照）。
【０００８】
以下、図１６を用いて、特許文献１で開示された概略内容を説明する。なお、図１６は、受信機における地上デジタル放送の選局のための３桁または３桁＋枝番号の付与方法を示すフローチャートである。
【０００９】
図１６において、特許文献１で開示された選局方法では、まず、受信機が設置されている地域（受信場所）を当該受信機に地域設定する（ステップＳ５１）。そして、受信機は、地上デジタル放送を受信するために周波数スキャンを行って地上デジタル放送を受信する（ステップＳ５２）。
【００１０】
次に、受信機は、受信した地上デジタル放送それぞれのＮＩＴを解析し、リモコンキーＩＤが重複している放送局の存在を確認し（ステップＳ５３）、重複したリモコンキーＩＤを有する放送局が域外放送かどうかを判別する（ステップＳ５４）。そして、受信機は、重複したリモコンキーＩＤを有する放送局の少なくとも１つが域内放送の場合、３桁のチャネル番号に対して域内放送局に枝番号「０」および域外放送局に順次枝番号「１」、「２」…をそれぞれ付加する（ステップＳ５５）。また、受信機は、重複したリモコンキーＩＤを有する放送局が全て域外放送の場合、３桁のチャネル番号に対して域外放送局に順次枝番号「１」、「２」…をそれぞれ付加する（ステップＳ５６）。さらに、受信機は、重複するリモコンキーＩＤを有する放送局がない場合、３桁のチャネル番号をそのまま出力する（ステップＳ５７）。そして、受信機は、全てのチャネル番号を示すチャネルリストを作成し表示し（ステップＳ５８）、当該フローチャートによる処理を終了する。
【００１１】
特許文献１で開示された選局方法では、受信している地上デジタル放送に対して、受信場所を基準とした域内と域外とに跨ってリモコンキーＩＤが同一である放送局が存在するか否かを確認する。また、上記選局方法は、同じリモコンキーＩＤが付された放送局が域外のみに存在するか否かを確認する。そして、リモコンキーＩＤが同じ放送局が存在するときには、それらの放送局に割当てられているチャネル番号に枝番号を付加して受信機内に保存する。視聴者は、チャネル番号を指定して選局を行うダイレクト選局においては、この枝番号を含めたチャネル番号を指定する。つまり、元々のチャネル番号は３桁であり枝番号が４桁目を構成するので、視聴者は、４桁の番号を指定してチャネルの選局を行うことになる。これによって、リモコンキーＩＤが同じ、すなわちチャネル番号が同じ放送局であっても、枝番号付きのチャネル番号を使用することで特定の放送局を選局することができる。例えば、域内と域外とに跨ってリモコンキーＩＤが同じ放送局が存在するときは、域内の枝番号を「０」とし、域外の放送局に対してはその放送局に割当てられている地域識別番号順に枝番号を例えば「１」から順に付す。また、域外のみにリモコンキーＩＤが同じ放送局が存在するときは、地域識別番号順に、「１」から順に枝番号を付す。このように、上記選局方法によれば、識別符号（枝番号）を利用してチャネル番号を再設定するようなチャネル設定方法を採用することで、重複するチャネル番号があったとしても、任意の放送局を選局できるようにしている。
【特許文献１】特開２００４−３６３８１９号公報
【非特許文献１】「第四編  地上デジタルテレビジョン放送ＰＳＩ／ＳＩ運用規定  Ｄｌ２  ＮＩＴ（Ｎｅｔｗｏｒｋ  Ｉｎｆｏｒｍａｔｉｏｎ  Ｔａｂｌｅ）」、地上デジタルテレビジョン放送運用規定  技術資料  ＡＲＩＢ  ＴＲ−Ｂ１４  １．３版（第２分冊）、社団法人電波産業会、平成１５年３月、ｐ．４−２３１〜４−２４４
【発明の開示】
【発明が解決しようとする課題】
【００１２】
特許文献１で開示された選局方法では、リモコンキーＩＤが重複した場合に枝番号を付与することによって同一のリモコンキーＩＤを有する地上デジタル放送を任意に選局できるが、しかしながら、上記選局方法は、リモコンキーＩＤが重複する放送局が存在する場合に３桁番号選局と４桁番号選局とが混在する。したがって、放送局およびサービスの種類が多い地上デジタル放送においては、選局のための視聴者の操作が煩雑となってしまう。また、リモコンキーＩＤは、受信機のリモコンに装備された１〜１２のワンタッチボタンにサービスを割当てる機能を有している。したがって、リモコンキーＩＤが重複した場合、重複した放送局のうち県域内の放送１つのみが指定のワンタッチボタンに割当てられ、県域外の放送が県域内の放送で指定されていない空いたワンタッチボタンに割り振られることになる。ここで、重複した場合のワンタッチボタンへの割り振りの方法についての規定はないため、受信機のメーカによってそれぞれ異なったワンタッチボタンに割り振られることがある。
【００１３】
このような地上デジタル放送に対して、ケーブルテレビ事業者が自主放送を運用する場合には、地上デジタル放送で用いられているリモコンキーＩＤと同一の値のリモコンキーＩＤを自主放送に用いると、自主放送を視聴するための操作が非常に煩雑になる。特に、ケーブルテレビ事業者が行う自主放送については、生活に密着した地域情報等の視聴者にとって非常に重要な情報も含まれており、自主放送の視聴方法が煩雑になれば視聴者の利便性を低下させてしまう。また、ケーブルテレビ事業者としても、自主放送が割当てられるリモコンのワンタッチボタンが受信機のメーカによって異なる可能性もあり、運用面や視聴者サポートの面で大きな問題となる。
【００１４】
それ故に、本発明は、ケーブルテレビ事業者が自主放送を行う際に、自主放送の視聴のための操作が容易で、ケーブルテレビ事業者が視聴者に対して自主放送の視聴を効果的に促すケーブルテレビ放送装置、受信機、ケーブルテレビ放送システム、ケーブルテレビ放送方法、およびケーブルテレビ受信方法を提供することである。
【課題を解決するための手段】
【００１５】
上記のような目的を達成するために、本発明は、以下に示すような特徴を有している。
第１の発明は、ケーブルテレビ網を介して、同時再送信する地上デジタル放送とは異なった自主放送のデジタル放送信号を特定の変調方式で伝送するケーブルテレビ放送装置である。ケーブルテレビ放送装置は、入力部、再送信情報取得部、リモコンキー番号判別部、リモコンキー番号設定部、番組配列情報設定部、多重部、および変調部を備える。入力部は、自主放送用のコンテンツを取得してデジタル放送信号を出力する。再送信情報取得部は、同時再送信する地上デジタル放送波からそれら地上デジタル放送のリモートコントロールキー識別番号が少なくとも記述された情報をそれぞれ取得する。リモコンキー番号判別部は、再送信情報取得部が取得した情報からそれぞれリモートコントロールキー識別番号を判別する。リモコンキー番号設定部は、リモコンキー番号判別部が判別したリモートコントロールキー識別番号に基づいて、自主放送のリモートコントロールキー識別番号を設定する。番組配列情報設定部は、リモコンキー番号設定部が設定した自主放送のリモートコントロールキー識別番号が記述された番組配列情報を設定する。多重部は、番組配列情報設定部が設定した番組配列情報を入力部から出力されるデジタル放送信号に含ませて多重する。変調部は、多重部が多重したデジタル放送信号を特定の変調方式で変調して送出する。
【００１６】
第２の発明は、上記第１の発明において、リモコンキー番号設定部は、リモコンキー番号判別部が判別した全てのリモートコントロールキー識別番号と重複しない番号を、自主放送のリモートコントロールキー識別番号に設定する。
【００１７】
第３の発明は、上記第１の発明において、再送信情報取得部が取得する情報は、地上デジタル放送波に含まれるＮＩＴ（Ｎｅｔｗｏｒｋ  Ｉｎｆｏｒｍａｔｉｏｎ  Ｔａｂｌｅ）を含む情報である。リモートコントロールキー識別番号は、ＮＩＴに記述されたリモートコントロールキーＩＤ（ｒｅｍｏｔｅ＿ｃｏｎｔｒｏｌ＿ｋｅｙ＿ｉｄ）で示される数値である。
【００１８】
第４の発明は、上記第１の発明において、番組配列情報設定部は、ネットワークＩＤ（ｎｅｔｗｏｒｋ＿ｉｄ）、トランスポートストリームＩＤ（ｔｒａｎｓｐｏｒｔ＿ｓｔｒｅａｍ＿ｉｄ）、およびオリジナルネットワークＩＤ（ｏｒｉｇｉｎａｌ＿ｎｅｔｗｏｒｋ＿ｉｄ）の少なくとも１つに自主放送を示す数値を記述したＮＩＴを番組配列情報に含ませて設定する。
【００１９】
第５の発明は、ケーブルテレビ網を介して、ケーブルテレビ放送装置から同時再送信された地上デジタル放送およびそれら同時再送信された放送とは異なった自主放送のデジタル放送信号を受信する受信機である。受信機は、受信部、情報取得部、判別部、および自主放送受信設定部を備える。受信部は、ケーブルテレビ網を介してデジタル放送信号を受信する。情報取得部は、受信部が受信したデジタル放送信号から番組配列情報を取得する。判別部は、情報取得部が取得した番組配列情報に含まれるリモートコントロールキーＩＤ（ｒｅｍｏｔｅ＿ｃｏｎｔｒｏｌ＿ｋｅｙ＿ｉｄ）、ネットワークＩＤ（ｎｅｔｗｏｒｋ＿ｉｄ）、トランスポートストリームＩＤ（ｔｒａｎｓｐｏｒｔ＿ｓｔｒｅａｍ＿ｉｄ）、およびオリジナルネットワークＩＤ（ｏｒｉｇｉｎａｌ＿ｎｅｔｗｏｒｋ＿ｉｄ）の少なくとも１つを用いて、自主放送を判別する。自主放送受信設定部は、判別部が自主放送を判別したとき、その自主放送の受信に関する受信部の動作を設定する。
【００２０】
第６の発明は、上記第５の発明において、受信機は、数値選局部およびリモコンキーＩＤ格納部をさらに備える。数値選局部は、視聴者が複数の数値から１つの数値を選択することによって、受信部が受信するデジタル放送信号の選局を行う。リモコンキーＩＤ格納部は、自主放送用の数値をリモートコントロールキー識別番号として格納する。判別部は、番組配列情報に含まれるリモートコントロールキーＩＤが示す数値とリモコンキーＩＤ格納部に格納されたリモートコントロールキー識別番号との一致によって、自主放送を判別する。
【００２１】
第７の発明は、上記第６の発明において、自主放送受信設定部は、判別部が番組配列情報に含まれるネットワークＩＤ、トランスポートストリームＩＤ、およびオリジナルネットワークＩＤの少なくとも１つを用いて自主放送を判別したとき、その番組配列情報に含まれるリモートコントロールキーＩＤが示す数値をリモコンキーＩＤ格納部にリモートコントロールキー識別番号として格納する。
【００２２】
第８の発明は、上記第５の発明において、受信機は、自主放送選局部をさらに備える。自主放送選局部は、視聴者の操作に応じて自主放送のみを選局する。自主放送受信設定部は、判別部が自主放送を判別したとき、受信部がその自主放送を受信するための選局情報を設定する。受信部は、自主放送選局手段への操作に応じて、選局情報に基づいたデジタル放送信号を受信する。
【００２３】
第９の発明は、上記第５の発明において、自主放送受信設定部は、ＥＰＧ並び順設定部を含む。ＥＰＧ並び順設定部は、判別部が判別した自主放送を所定の並び位置に配置して、電子番組表における地上デジタル放送および自主放送の並び順を設定する。受信機は、ＥＰＧ表示制御部をさらに備える。ＥＰＧ表示制御部は、ＥＰＧ並び順設定部が設定した並び順に基づいて、表示装置に表示する電子番組表の放送局表示順を制御する。
【００２４】
第１０の発明は、上記第５の発明において、受信機は、選局情報格納部および選局制御部をさらに備える。選局情報格納部は、受信機が起動したときに最初に選局するデジタル放送信号を示す選局情報を格納する。選局制御部は、受信機が起動したとき、選局情報格納部に格納された選局情報に基づいて、受信部が受信するデジタル放送信号を選局する。自主放送受信設定部は、判別部が判別した自主放送に関する選局情報を選局情報格納部に格納する。
【００２５】
第１１の発明は、ケーブルテレビ網を介して、同時再送信する地上デジタル放送とは異なった自主放送のデジタル放送信号を特定の変調方式で伝送するケーブルテレビ放送装置とそれらデジタル放送信号を受信する受信機とを含むケーブルテレビ放送システムである。ケーブルテレビ放送装置は、入力部、再送信情報取得部、リモコンキー番号判別部、リモコンキー番号設定部、番組配列情報設定部、多重部、および変調部を備える。入力部は、自主放送用のコンテンツを取得してデジタル放送信号を出力する。再送信情報取得部は、同時再送信する地上デジタル放送波からそれら地上デジタル放送のリモートコントロールキー識別番号が少なくとも記述された情報をそれぞれ取得する。リモコンキー番号判別部は、再送信情報取得部が取得した情報からそれぞれリモートコントロールキー識別番号を判別する。リモコンキー番号設定部は、リモコンキー番号判別部が判別したリモートコントロールキー識別番号に基づいて、自主放送のリモートコントロールキー識別番号を設定する。番組配列情報設定部は、リモコンキー番号設定部が設定した自主放送のリモートコントロールキー識別番号が記述された番組配列情報を設定する。多重部は、番組配列情報設定部が設定した番組配列情報を入力部から出力されるデジタル放送信号に含ませて多重する。変調部は、多重部が多重したデジタル放送信号を特定の変調方式で変調してケーブルテレビ網に送出する。受信機は、受信部、情報取得部、判別部、および自主放送受信設定部を備える。受信部は、ケーブルテレビ網を介してデジタル放送信号を受信する。情報取得部は、受信部が受信したデジタル放送信号から番組配列情報を取得する。判別部は、情報取得部が取得した番組配列情報に含まれるリモートコントロールキーＩＤ（ｒｅｍｏｔｅ＿ｃｏｎｔｒｏｌ＿ｋｅｙ＿ｉｄ）、ネットワークＩＤ（ｎｅｔｗｏｒｋ＿ｉｄ）、トランスポートストリームＩＤ（ｔｒａｎｓｐｏｒｔ＿ｓｔｒｅａｍ＿ｉｄ）、およびオリジナルネットワークＩＤ（ｏｒｉｇｉｎａｌ＿ｎｅｔｗｏｒｋ＿ｉｄ）の少なくとも１つを用いて、自主放送を判別する。自主放送受信設定部は、判別部が自主放送を判別したとき、その自主放送の受信に関する受信部の動作を設定する。
【００２６】
第１２の発明は、ケーブルテレビ網を介して、同時再送信する地上デジタル放送とは異なった自主放送のデジタル放送信号を特定の変調方式で伝送するケーブルテレビ放送方法である。ケーブルテレビ放送方法は、入力ステップ、再送信情報取得ステップ、リモコンキー番号判別ステップ、リモコンキー番号設定ステップ、番組配列情報設定ステップ、多重ステップ、および変調ステップを含む。入力ステップは、自主放送用のコンテンツを取得してデジタル放送信号を出力する。再送信情報取得ステップは、同時再送信する地上デジタル放送波からそれら地上デジタル放送のリモートコントロールキー識別番号が少なくとも記述された情報をそれぞれ取得する。リモコンキー番号判別ステップは、再送信情報取得ステップで取得した情報からそれぞれリモートコントロールキー識別番号を判別する。リモコンキー番号設定ステップは、リモコンキー番号判別ステップで判別したリモートコントロールキー識別番号に基づいて、自主放送のリモートコントロールキー識別番号を設定する。番組配列情報設定ステップは、リモコンキー番号設定ステップで設定した自主放送のリモートコントロールキー識別番号が記述された番組配列情報を設定する。多重ステップは、番組配列情報設定ステップで設定した番組配列情報を入力ステップで出力されるデジタル放送信号に含ませて多重する。変調ステップは、多重ステップで多重したデジタル放送信号を特定の変調方式で変調して送出する。
【００２７】
第１３の発明は、ケーブルテレビ網を介して、同時再送信された地上デジタル放送およびそれら同時再送信された放送とは異なった自主放送のデジタル放送信号を受信するケーブルテレビ受信方法である。ケーブルテレビ受信方法は、受信ステップ、情報取得ステップ、判別ステップ、および自主放送受信設定ステップを含む。受信ステップは、ケーブルテレビ網を介してデジタル放送信号を受信する。情報取得ステップは、受信ステップで受信したデジタル放送信号から番組配列情報を取得する。判別ステップは、情報取得ステップで取得した番組配列情報に含まれるリモートコントロールキーＩＤ（ｒｅｍｏｔｅ＿ｃｏｎｔｒｏｌ＿ｋｅｙ＿ｉｄ）、ネットワークＩＤ（ｎｅｔｗｏｒｋ＿ｉｄ）、トランスポートストリームＩＤ（ｔｒａｎｓｐｏｒｔ＿ｓｔｒｅａｍ＿ｉｄ）、およびオリジナルネットワークＩＤ（ｏｒｉｇｉｎａｌ＿ｎｅｔｗｏｒｋ＿ｉｄ）の少なくとも１つを用いて、自主放送を判別する。自主放送受信設定ステップは、判別ステップで自主放送を判別したとき、その自主放送の受信に関する受信ステップの動作を設定する。
【発明の効果】
【００２８】
上記第１の発明によれば、再送信する地上デジタル放送のリモートコントロールキー識別番号に基づいて、自主放送のリモートコントロールキー識別番号が設定されるため、ケーブルテレビ事業者が自主放送を行う場合に、自主放送を視聴する視聴者の操作の利便性を確保し、かつケーブルテレビ事業者の運用、サポート性に優れた自主放送を行うことができる。
【００２９】
上記第２の発明によれば、全ての放送のリモコンキーＩＤが重複せずにケーブルテレビ網に送出されるため、受信する視聴者のリモコン等に装備されたワンタッチボタンにそれぞれ割当てることができる。したがって、視聴者の煩雑な操作を必要とせず地上デジタル放送およびケーブルテレビ事業者の自主放送を受信することができる。
【００３０】
上記第３の発明によれば、地上デジタル放送で規定されたデータを用いて動作するため、ケーブルテレビ放送装置が確実に動作することができる。
【００３１】
上記第４の発明によれば、自主放送のリモートコントロールキーＩＤを変更しても、受信側でネットワークＩＤ、トランスポートストリームＩＤ、またはオリジナルネットワークＩＤによって自主放送を判別することができる。
【００３２】
上記第５の発明によれば、番組配列情報に含まれるリモートコントロールキーＩＤ、ネットワークＩＤ、トランスポートストリームＩＤ、またはオリジナルネットワークＩＤを用いて送出された自主放送を判別し、自主放送の受信に関する動作が設定されるため、ケーブルテレビ事業者が自主放送を行う場合に、自主放送を視聴する視聴者の操作の利便性を確保し、かつケーブルテレビ事業者の運用、サポート性に優れた自主放送を行うことができる。
【００３３】
上記第６の発明によれば、ケーブルテレビ事業者において、自主放送を固定したリモコン番号等の数値を選択することによって視聴可能にすることができる。自主放送用のリモコンキーＩＤを固定値とすれば、自主放送の運用面や視聴者サポートの面で有利となる。
【００３４】
上記第７の発明によれば、ケーブルテレビ事業者等が自主放送と他の地上デジタル放送との重複を避けるために自主放送のリモコンキーＩＤを変更した場合、その変更に応じてリモコンキーＩＤ格納部に格納する識別番号を更新する。したがって、地上デジタル放送および自主放送のリモコンキーＩＤの重複を防止しながら、送信側のリモコンキーＩＤの変更を自動的に反映することができる。つまり、視聴者は、自主放送におけるリモコンキーＩＤの変更に関する設定のための操作が不要であり、自主放送が常にワンタッチボタンの何れか等に割当てられるため自主放送を視聴するための操作が容易となる。
【００３５】
上記第８の発明によれば、リモコンの自主放送選局ボタン等の自主放送選局部が装備されている場合、さらに自主放送をより容易に視聴することができる。
【００３６】
上記第９の発明によれば、自主放送が運用されている際、必ず自主放送用の番組が所定の並び位置（例えば、先頭列）にＥＰＧ表示される。したがって、視聴者が自主放送を視聴するための操作を容易にすることができるとともに、自主放送の視聴を促す効果も得られる。
【００３７】
上記第１０の発明によれば、自主放送運用時には電源ＯＮ直後等の起動時の選局制御を行うことにより、起動時に常に自主放送を視聴者に視聴させることができ、自主放送の視聴を促す効果を向上することができる。
【００３８】
また、本発明の、ケーブルテレビ放送システム、ケーブルテレビ放送方法、およびケーブルテレビ受信方法によれば、上述したケーブルテレビ放送装置および受信機と同様の効果を得ることができる。
【発明を実施するための最良の形態】
【００３９】
（第１の実施形態）
以下、図面を参照して、本発明の第１の実施形態に係るＣＡＴＶでの自主放送の運用を示すケーブルテレビ放送システムについて説明する。なお、図１は、当該ケーブルテレビ放送システムの構成図である。
【００４０】
図１において、ケーブルテレビ放送システムは、自主放送装置１、再送信装置２、混合部３、ケーブルテレビ（ＣＡＴＶ）網４、および受信機５を含んでいる。自主放送装置１は、ケーブルテレビ事業者が自ら制作した番組を放送するため装置である。再送信装置２は、放送局から送信された地上デジタル放送を受信して変調変換し、ＣＡＴＶ網４へ再送信する装置である。混合部３は、自主放送装置１および再送信装置２の出力信号（例えば、６４ＱＡＭ（Ｑｕａｄｒａｔｕｒｅ  Ａｍｐｌｉｔｕｄｅ  Ｍｏｄｕｌａｔｉｏｎ）信号）を混合して、ＣＡＴＶ網４へ出力する。ＣＡＴＶ網４は、ケーブルテレビの放送網であり、受信機５は、当該ＣＡＴＶ網４を介してデジタル放送を受信する視聴者が所有する装置である。
【００４１】
このようなケーブルテレビ放送システムを用いて、ケーブルテレビ事業者が自主放送を運用する場合には、地上デジタル放送を送信するＣＡＴＶ網４と同じネットワークに自主放送装置１を自主放送が送信される。そして、受信機５では、自主放送を地上デジタル放送の１番組として視聴を行うことができる。なお、ケーブルテレビにおける自主放送は、主にケーブルテレビ事業者の自主制作番組の放送であり、同時再送信する放送以外は全て自主放送に区分される。例えば、本発明における「自主放送」は、自主制作番組の他に、時間をずらした再送信や番組の一部に変更を加えた再送信等も含んでいる。
【００４２】
次に、図２を用いて、第１の実施形態に係る自主放送装置１の構成について説明する。なお、図２は、当該自主放送装置１の構成を示すブロック図である。
【００４３】
図２において、自主放送装置１は、トランスポートストリーム（ＴＳ）入力部１１、ＴＳ多重部１２、６４ＱＡＭ（Ｑｕａｄｒａｔｕｒｅ  Ａｍｐｌｉｔｕｄｅ  Ｍｏｄｕｌａｔｉｏｎ）変調部１３、通信部１４、ＮＩＴ（Ｎｅｔｗｏｒｋ  Ｉｎｆｏｒｍａｔｉｏｎ  Ｔａｂｌｅ）取得部１５、リモコンキーＩＤ判別部１６、およびシステム制御部１７を備えている。ＴＳ入力部１１は、ケーブルテレビ事業者が制作した自主放送用コンテンツ（番組）をデジタル放送信号として自主放送装置１に入力する。ＴＳ多重部１２は、ＴＳ入力部１１に入力された番組のデジタル放送信号を多重する。６４ＱＡＭ変調部１３は、ＴＳ多重部１２が多重したデジタル放送信号を６４ＱＡＭ変調し、混合部３へ出力する。通信部１４は、再送信装置２（図１参照）と通信を行う。ＮＩＴ取得部１５は、通信部１４を介して再送信装置２からＮＩＴを取得する。リモコンキーＩＤ判別部１６は、ＮＩＴ取得部１５が取得したＮＩＴからリモコンキーＩＤを抽出して判別する。システム制御部１７は、ＴＳ多重部１２がデジタル放送信号を多重する動作を制御しており、リモコンキーＩＤ設定部１７１を含んでいる。リモコンキーＩＤ設定部１７１は、自主放送のＮＩＴにリモコンキーＩＤを設定する。
【００４４】
次に、図３を参照して、デジタル放送信号のＮＩＴについて説明する。なお、図３は、ＮＩＴのデータ構造の一例を示す図である。
【００４５】
図３において、デジタル放送のＮＩＴには、ネットワークＩＤ（ｎｅｔｗｏｒｋ＿ｉｄ：図３におけるＩＤｎ）、トランスポートストリームＩＤ（ｔｒａｎｓｐｏｒｔ＿ｓｔｒｅａｍ＿ｉｄ：ＩＤｔｓ）、およびオリジナルネットワークＩＤ（ｏｒｉｇｉｎａｌ＿ｎｅｔｗｏｒｋ＿ｉｄ：ＩＤｏｎ）が記述されている。また、ＮＩＴは、各種記述子が記述された第２ループＤｌ２を含んでいる。
【００４６】
次に、図４を参照して、ＴＳ（Ｔｒａｎｓｐｏｒｔ  Ｓｔｒｅａｍ）情報記述子について説明する。なお、図４は、ＴＳ情報記述子のデータ構造の一例を示す図である。
【００４７】
図４において、ＴＳ情報記述子は、ＮＩＴに記述された第２ループＤｌ２に含まれている。ＴＳ情報記述子は、リモコンキーＩＤ（ｒｅｍｏｔｅ＿ｃｏｎｔｒｏｌ＿ｋｅｙ＿ｉｄ：ＩＤｒｃｋ）が記述されている。リモコンキーＩＤは、後述する受信機のリモコン５０に装備された１〜１２を示すワンタッチボタンに、それぞれ放送局を割当てるための番号を指定する。
【００４８】
次に、図２〜図５を参照して、自主放送装置１を用いてＣＡＴＶ網４を介して地上デジタル放送を行う際の処理の流れについて説明する。なお、図５は、自主放送装置１を用いて地上デジタル放送を行う際の処理の流れを示すフローチャートである。
【００４９】
図５において、まず自主放送装置１のＮＩＴ取得部１５は、通信部１４を介して、再送信装置２からＮＩＴを取得し、取得したＮＩＴをリモコンキーＩＤ判別部１６に出力する（ステップＳ１）。次に、リモコンキーＩＤ判別部１６は、ＮＩＴ取得部１５から出力されたＮＩＴを解析し、第２ループＤｌ２を抽出する。さらに、リモコンキーＩＤ判別部１６は、抽出した第２ループＤｌ２に記述されたＴＳ情報記述子を検索してリモコンキーＩＤ（ＩＤｒｃｋ）を抽出し、当該リモコンキーＩＤをリモコンキーＩＤ設定部１７１に出力する（ステップＳ２）。自主放送装置１は、これらステップＳ１およびＳ２の処理を再送信装置２の数（例えば、再送信する対象の地上デジタル放送局数）分繰り返す。
【００５０】
次に、リモコンキーＩＤ設定部１７１は、リモコンキーＩＤ判別部１６から受け取った地上デジタル放送のリモコンキーＩＤと重複しないように自主放送用のＮＩＴに記載するリモコンキーＩＤを設定する（ステップＳ３）。そして、システム制御部１７は、リモコンキーＩＤ設定部１７１で設定したリモコンキーＩＤを含むＮＩＴ生成して、ＴＳ多重部１２に出力し（ステップＳ４）、当該フローチャートによる処理を終了する。これらの処理によって、自主放送用のＮＩＴには地上デジタル放送のリモコンキーＩＤと重複しないリモコンキーＩＤが記載され、当該ＮＩＴを有する自主放送のデジタル放送信号が自主放送装置１から混合部３へ出力される。なお、上記ステップＳ４において、システム制御部１７は、ＮＩＴに記述するネットワークＩＤ（ＩＤｎ）、トランスポートストリームＩＤ（ＩＤｔｓ）、およびオリジナルネットワークＩＤ（ＩＤｏｎ）の値を全て自主放送用の値に設定する。
【００５１】
図６は、図５に示したフローチャートによる処理によって、地上デジタル放送のリモコンキーＩＤと自主放送運用時のリモコンキーＩＤとを設定した一例を示す図である。なお、図６の左図は地上デジタル放送のリモコン割当て例を示し、右図は自主放送運用時にリモコンキーＩＤ設定部１７１がリモコン割当てを行った例を示している。
【００５２】
図６の左図に示すように、再送信装置２から取得したＮＩＴに応じて、地上デジタル放送局Ａに対応してリモコンキーＩＤ「１」、地上デジタル放送局Ｂに対応してリモコンキーＩＤ「４」、地上デジタル放送局Ｃに対応してリモコンキーＩＤ「７」、地上デジタル放送局Ｄに対応してリモコンキーＩＤ「８」、地上デジタル放送局Ｅに対応してリモコンキーＩＤ「１０」、および地上デジタル放送局Ｆに対応してリモコンキーＩＤ「１１」がそれぞれ設定されている。そして、リモコンキーＩＤ「２」、「３」、「５」、「６」、「９」、および「１２」が未使用となっている。このような場合、リモコンキーＩＤ設定部１７１は、未使用となっているリモコンキーＩＤから自主放送用のリモコンキーＩＤを設定する。例えば、図６の右図に示すように、リモコンキーＩＤ設定部１７１は、自主放送に対応してリモコンキーＩＤ「１２」を設定している。このように、自主放送運用時には、地上デジタル放送で用いられているリモコンキーＩＤと重複しないように自主放送のリモコンキーＩＤが設定される。
【００５３】
次に、図７を参照して、第１の実施形態に係る受信機５の構成について説明する。なお、他の実施形態に係る受信機と区別するために、第１の実施形態に係る受信機に参照符号５ａを付与する。また、図７は、当該受信機５ａの構成を示すブロック図である。
【００５４】
図７において、受信機５ａは、所定のバスで接続されたチューナ部５１、復調部５２、ＴＳ分離部５３、デコーダ部５４、出力部５５、ＣＰＵ５６ａ、メモリ５７ａ、およびリモコン受信部５８を備えており、典型的には視聴者のリモコン５０の操作に応じて動作する。チューナ部５１は、ＣＡＴＶ網４を介して伝送されるデジタル放送の周波数を選局する。復調部５２は、チューナ部５１が選局して出力したデジタル放送信号を復調する。ＴＳ分離部５３は、復調部５２で復調され複数のサービスが多重されたデジタル放送信号を分離処理する。デコーダ部５４は、ＴＳ分離部５３が分離処理したデジタル信号をデコードする。出力部５５は、デコーダ部５４がデコードした映像、音声、およびデータ信号を出力する。ＣＰＵ５６ａは、受信機５ａの動作を制御し、例えば所定の記録媒体（図示せず）に格納された本発明を実現するプログラムをロードすることによって各部の動作制御を行う。メモリ５７ａは、各種データを保存し、ＣＰＵ５６ａの処理における記録領域としても用いられる。そして、リモコン受信部５８は、リモコン５０からの制御信号を受信する。リモコン５０は、視聴者の操作に応じて、受信機５ａを赤外線信号等により制御信号を出力し、当該受信機５ａの遠隔から操作する。
【００５５】
ＣＰＵ５６ａは、ＮＩＴ取得部５６１、リモコンキーＩＤ判別部５６２、およびリモコンキー動作対応部５６３を含んでいる。また、メモリ５７ａは、自主放送用リモコンキーＩＤ格納部５７１を含んでいる。ＮＩＴ取得部５６１は、ＴＳ分離部５３で分離したデータからＮＩＴを取得する。リモコンキーＩＤ判別部５６２は、ＮＩＴ取得部５６１が取得したＮＩＴを解析し、リモコンキーＩＤを判別する。自主放送用リモコンキーＩＤ格納部５７１は、メモリ５７ａ上に予め自主放送用のリモコンキーＩＤを示す値を格納する記憶領域である。そして、リモコンキー動作対応部５６３は、リモコンキー番号と放送局および自主放送との対応を関連付けて管理する。なお、予め自主放送用リモコンキーＩＤ格納部５７１に格納する自主放送用のリモコンキーＩＤを示す値は、受信機５ａのソフトウェアに予め設定された固定値であってもいいし、外部からの書き換え装置等により書き換え可能な可変値であってもかまわない。
【００５６】
図８は、リモコン５０の２つの例を示す外観図である。なお、図８（ａ）は自主放送選局ボタン５０２が装備されたリモコン５０ａの外観例であり、図８（ｂ）は自主放送選局ボタン５０２が装備されていない従来型のリモコン５０ｂの外観例である。
【００５７】
図８（ａ）において、リモコン５０ａは、ワンタッチボタン群５０１および自主放送選局ボタン５０２が装備されている。ワンタッチボタン群５０１は、１〜１２の数値が１２個のボタンにそれぞれ設定されており、視聴者が何れかのボタンを押下することによってその数値に応じたリモコン番号に割当てられた放送局を選局することができる。自主放送選局ボタン５０２は、視聴者が押下することによって、自主放送をワンタッチで選局することができる。なお、リモコン５０ａは、一般的に音量の増減等、他の動作を指示する操作部が装備されているが、本発明と関連しないため詳細な説明を省略する。
【００５８】
図８（ｂ）において、リモコン５０ｂは、リモコン５０ａと同様のワンタッチボタン群５０１が装備されている。つまり、視聴者は、リモコン５０ｂのワンタッチボタン群５０１から何れかのボタンを押下することによって、その数値に応じたリモコン番号に割当てられた放送局を選局することができる。なお、リモコン５０ｂにも、一般的に音量の増減等、他の動作を指示する操作部が装備されているが、本発明と関連しないため詳細な説明を省略する。
【００５９】
次に、図９を参照して、受信機５ａがワンタッチボタンを設定する流れについて説明する。なお、図９は、受信機５ａがワンタッチボタンを設定する動作を示すフローチャートである。
【００６０】
図９において、受信機５ａにおいて、地上デジタル放送および自主放送を受信するためには、まず受信機５ａが設置されている受信場所に基づいた地域設定を行う（ステップＳ１１）。この地域設定は、受信可能な放送に関する番組表やデータ放送受信等の設定のために行われ、地上デジタル放送を受信できる受信機には標準的に装備されている機能である。
【００６１】
次に、受信機５ａは、地域設定が完了すると受信可能な放送を判別するためにチューナ部５１で周波数を下限周波数から上限周波数までスイープさせ（周波数スキャン）、復調部５２およびＴＳ分離部５３でデジタル放送信号を抽出する（ステップＳ１２）。そして、ＮＩＴ取得部５６１は、受信可能な放送と判断すれば当該放送のＮＩＴを取得する。
【００６２】
次に、リモコンキーＩＤ判別部５６２は、取得した全放送のＮＩＴを対象として、それぞれ自主放送用リモコンキーＩＤ格納部５７１に格納された自主放送用のリモコンキーＩＤと比較し、取得したＮＩＴ中に自主放送用のリモコンキーＩＤが記述されているものがあるか否かを判断する（ステップＳ１３）。そして、取得したＮＩＴ中に自主放送用のリモコンキーＩＤが記述されているものがある場合、リモコンキーＩＤ判別部５６２は、当該ＮＩＴに記述されたネットワークＩＤ（ＩＤｎ）、トランスポートストリームＩＤ（ＩＤｔｓ）、またはオリジナルネットワークＩＤ（ＩＤｏｎ）が自主放送用の値を示しているか否かを判断する（ステップＳ１４）。上記自主放送用の値は、上記ステップＳ４で自主放送装置１がＮＩＴを生成する際に設定したケーブルテレビ事業者の自主放送のための固有値であり、一般的には、ＩＤｎ、ＩＤｔｓ、およびＩＤｏｎ全てに同じ値が付与されてＮＩＴに記述されている。したがって、上記ステップＳ１４では、リモコンキーＩＤ判別部５６２は、ＩＤｎ、ＩＤｔｓ、およびＩＤｏｎの何れか１つが自主放送用の値を示しているか否かを判断すればよい。そして、受信機５ａは、ＩＤｎ、ＩＤｔｓ、またはＩＤｏｎが自主放送用の値を示している場合、処理を次のステップＳ１６に進める。一方、受信機５ａは、取得したＮＩＴ中に自主放送用のリモコンキーＩＤが記述されているものがない場合（ステップＳ１３でＮｏ）、あるいはＩＤｎ、ＩＤｔｓ、またはＩＤｏｎが全て自主放送用の値を示していない場合（ステップＳ１４でＮｏ）、処理を次のステップＳ１５に進める。
【００６３】
ステップＳ１６において、リモコンキー動作対応部５６３は、当該放送局の選局情報をリモコンキーＩＤが示すワンタッチボタン群５０１の何れか１つのボタンおよび自主放送選局ボタン５０２に対応付けて紐付け設定する。そして、受信機５ａは、処理を次のステップＳ１９に進める。
【００６４】
ステップＳ１５において、リモコンキーＩＤ判別部５６２は、取得した全放送のＮＩＴを対象として、当該ＮＩＴに記述されたＩＤｎ、ＩＤｔｓ、およびＩＤｏｎの何れかが自主放送用の値を示しているか否かを判断する。そして、ＩＤｎ、ＩＤｔｓ、およびＩＤｏｎの何れかが自主放送用の値を示している場合、リモコンキーＩＤ判別部５６２は、自主放送用リモコンキーＩＤ格納部５７１に格納された自主放送用のリモコンキーＩＤを変更して（ステップＳ１７）、処理を上記ステップＳ１６に進める。具体的には、ステップＳ１７において、リモコンキーＩＤ判別部５６２は、自主放送用リモコンキーＩＤ格納部５７１に格納する自主放送用のリモコンキーＩＤを、自主放送用の値を示すＩＤｎ、ＩＤｔｓ、およびＩＤｏｎを含むＮＩＴに記述されたリモコンキーＩＤに更新する。一方、ＩＤｎ、ＩＤｔｓ、およびＩＤｏｎの何れも自主放送用の値を示していない場合、リモコンキー動作対応部５６３は、各放送局の選局情報をそれぞれのリモコンキーＩＤに応じてワンタッチボタン群５０１のボタンに関連付ける設定を行い（ステップＳ１８）、処理を上記ステップＳ１９に進める。つまり、ステップＳ１８においては、自主放送に関する設定が行われない。
【００６５】
ステップＳ１９において、受信機５ａは、上述した関連付け処理結果を含めて、地上デジタル放送および自主放送を選局するための選局情報の対応付けを記述した選局リストを生成してメモリ５７ａに格納する。そして、受信機５ａは、当該フローチャートによる処理を終了する。
【００６６】
図１０は、上述したフローチャートによる処理によって、リモコン５０ａまたは５０ｂに装備された各操作ボタンに割当てられた放送局および自主放送の一例を示す図である。図６の右図に示すような関連付けでリモコンキーＩＤ設定部１７１が設定（つまり、自主放送に対応してリモコンキーＩＤ「１２」を設定）して地上デジタル放送および自主放送がＣＡＴＶ網４に送信されている場合、受信機５ａにおけるリモコン番号の割当てが図１０のようになる。具体的には、リモコンキー動作対応部５６３は、地上デジタル放送局Ａに対応してリモコン番号「１」、地上デジタル放送局Ｂに対応してリモコン番号「４」、地上デジタル放送局Ｃに対応してリモコン番号「７」、地上デジタル放送局Ｄに対応してリモコン番号「８」、地上デジタル放送局Ｅに対応してリモコン番号「１０」、地上デジタル放送局Ｆに対応してリモコン番号「１１」、および自主放送に対応してリモコン番号「１２」がそれぞれ設定される。このように、地上デジタル放送である放送局Ａ〜Ｆおよび自主放送がそれぞれ重複しないようにワンタッチボタン群５０１のボタンに割当てられている。なお、リモコン５０ａに装備された自主放送選局ボタン５０２は、自主放送を選局するための情報が割当てられる。
【００６７】
また、自主放送の送信側装置となる自主放送装置１が他の地上デジタル放送との重複を避けるために自主放送のリモコンキーＩＤを変更した場合、受信側装置となる受信機５ａもその変更に応じて自主放送用リモコンキーＩＤ格納部５７１に格納する自主放送用のリモコンキーＩＤを更新する。したがって、地上デジタル放送および自主放送のリモコンキーＩＤの重複を防止しながら、送信側装置のリモコンキーＩＤの変更を受信側装置の設定に反映することができる。つまり、視聴者は、自主放送におけるリモコンキーＩＤの変更に関する設定のための操作が不要であり、自主放送が常にワンタッチボタンの何れかに割当てられるため自主放送を視聴するための操作が容易である。
【００６８】
なお、上述した自主放送のリモコンキーＩＤの変更に関する効果を期待しない場合、受信機５ａの自主放送用リモコンキーＩＤ格納部５７１に格納する自主放送用のリモコンキーＩＤは、固定値としてもかまわない。この場合、図９に示したステップＳ１４、Ｓ１５、およびＳ１７の処理が不要となり、ステップＳ１３で「Ｙｅｓ」の場合にステップＳ１６に処理を進め、ステップＳ１３で「Ｎｏ」の場合にステップＳ１８に処理を進めることによって、他は同様の処理で実現することができる。これは、ケーブルテレビ事業者において、自主放送を固定したリモコン番号の押下によって視聴可能としたいときに適用可能な方式であり、地上デジタル放送を受信する地域において空きが保証されたリモコン番号があれば、そのリモコン番号を自主放送用のリモコンキーＩＤに固定する。このように自主放送用のリモコンキーＩＤを固定値とすれば、自主放送の運用面や視聴者サポートの面で有利となる。つまり、ケーブルテレビ事業者の自主放送運用態様に応じて、リモコンキーＩＤ、ネットワークＩＤ、トランスポートストリームＩＤ、およびオリジナルネットワークＩＤの少なくとも１つを用いて、リモコンキーＩＤ判別部５６２がＣＡＴＶ網４に放送されている自主放送の有無を判別すればよい。
【００６９】
このように、自主放送装置１および受信機５ａの動作によって、全ての放送のリモコンキーＩＤが重複せずに送信され、視聴者のリモコンに装備されたワンタッチボタンにそれぞれ割当てられるため、煩雑な操作を必要とせず地上デジタル放送およびケーブルテレビ事業者の自主放送を受信することができる。さらに、自主放送選局ボタン５０２が装備されたリモコン５０ａにおいては、さらに自主放送をより容易に視聴することができる。
【００７０】
（第２の実施形態）
以下、図面を参照して、本発明の第２の実施形態に係るＣＡＴＶでの自主放送の運用を示すケーブルテレビ放送システムについて説明する。なお、当該ケーブルテレビ放送システムでは、受信側装置で行う上述した自主放送用のリモコンキーＩＤの判別を用いて、ＥＰＧ（Ｅｌｅｃｔｒｉｃ  Ｐｒｏｇｒａｍ  Ｇｕｉｄｅ：電子番組表）の表示順序を制御する態様である。なお、第２の実施形態に係るケーブルテレビ放送システムの構成および自主放送装置１の内部構成や自主放送装置１の動作は、第１の実施形態と同様であり（図１〜図６参照）、受信機５の内部構成のみが異なる。したがって、第２の実施形態では、受信機５以外の構成要素については同一の参照符号を付して詳細な説明を省略する。また、受信機５以外の構成要素の動作についての詳細な説明も省略する。なお、他の実施形態に係る受信機と区別するために、第２の実施形態に係る受信機に参照符号５ｂを付与する。また、図１１は、当該受信機５ｂの構成を示すブロック図である。
【００７１】
図１１において、受信機５ｂの大略的な構成については第１の実施形態で説明した受信機５ａと同一であり、ＣＰＵおよびメモリの内部に構成される機能ブロックが異なる。したがって、第２の実施形態に係るＣＰＵおよびメモリにそれぞれ参照符号５６ｂおよび５７ｂを付して他の実施形態と区別し、受信機５ａと同一の構成要素については同一の参照符号を付して詳細な説明を省略する。また、受信機５ａと同一の構成要素における動作は、第１の実施形態と同様であるため、詳細な説明を省略する。
【００７２】
ＣＰＵ５６ｂは、ＮＩＴ取得部５６１、リモコンキーＩＤ判別部５６２、ＥＰＧ並び順設定部５６４、およびＥＰＧ表示制御部５６５を含んでいる。ＮＩＴ取得部５６１およびリモコンキーＩＤ判別部５６２は、第１の実施形態と同様である。ＥＰＧ並び順設定部５６４は、ＥＰＧにおける放送局の表示並び順を設定する。ＥＰＧ表示制御部５６５は、ＥＰＧ並び順設定部５６４が設定した表示並び順に基づいて、ＥＰＧの表示制御を行う。
【００７３】
ＮＩＴ取得部５６１およびリモコンキーＩＤ判別部５６２は、第１の実施形態と同様にＮＩＴを取得し、自主放送用のリモコンキーＩＤを判別する。そして、リモコンキーＩＤ判別部５６２は、自主放送用のリモコンキーＩＤを判別するとＥＰＧ並び順設定部５６４に自主放送用のリモコンキーＩＤを通知する。ＥＰＧ並び順設定部５６４は、ＮＩＴ取得部５６１が取得したＮＩＴを用いて地上デジタル放送のＥＰＧ並び順を設定する。ここで、ＥＰＧ並び順設定部５６４は、ＥＰＧの並び順を例えば各放送の地域識別番号から設定する。上記通知を受けたＥＰＧ並び順設定部５６４は、ＥＰＧの並び順を決定する際に、必ずＥＰＧで表示される先頭に自主放送用のチャネルが表示されるようにＥＰＧ並び順を設定する。ＥＰＧ表示制御部５６５は、ＥＰＧ並び順設定部５６４によって設定されたＥＰＧ並び順となるようにＥＰＧを表示制御し、ＥＰＧを所定の表示画面（図示せず）に表示させる。
【００７４】
図１２は、ＥＰＧ並び順設定部５６４がＥＰＧ並び順を設定した場合のＥＰＧの表示例である。なお、上図は地上デジタル放送のみを表示する場合のＥＰＧ表示例、下図は地上デジタル放送および自主放送を表示する場合のＥＰＧ表示例である。
【００７５】
図１２の上図において、地上デジタル放送のみＥＰＧ表示する例では、放送局Ａ〜Ｅに対して時間９：００〜１３：００の時間帯で放送される番組がそれぞれ表示されている。これに対して、図１２の下図において、地上デジタル放送および自主放送を表示する例では、ＥＰＧで示される先頭列に自主放送が表示され、自主放送および放送局Ａ〜Ｅに対して時間９：００〜１３：００の時間帯で放送される番組がそれぞれ表示されている。
【００７６】
このように、自主放送が運用されている際、自主放送用のリモコンキーＩＤを判別結果に基づいて、受信機５ｂでは必ず自主放送用の番組が先頭にＥＰＧ表示される。したがって、視聴者が自主放送を視聴するための操作を容易にすることができるとともに、自主放送の視聴を促す効果も得られる。
【００７７】
なお、第２の実施形態の説明では、自主放送を先頭列にしてＥＰＧ並び順を設定する例を示したが、ＥＰＧ並び順設定部５６４およびＥＰＧ表示制御部５６５は、任意の順序でＥＰＧの表示制御を行うことができることは言うまでもない。
【００７８】
（第３の実施形態）
以下、図面を参照して、本発明の第３の実施形態に係るＣＡＴＶでの自主放送の運用を示すケーブルテレビ放送システムについて説明する。なお、当該ケーブルテレビ放送システムでは、受信側装置で行う上述した自主放送用のリモコンキーＩＤの判別を用いて、受信機５の電源ＯＮに応じて最初に選局するチャネルを制御する態様である。なお、第３の実施形態に係るケーブルテレビ放送システムの構成および自主放送装置１の内部構成や自主放送装置１の動作は、第１の実施形態と同様であり（図１〜図６参照）、受信機５の内部構成のみが異なる。したがって、第３の実施形態では、受信機５以外の構成要素については同一の参照符号を付して詳細な説明を省略する。また、受信機５以外の構成要素の動作についての詳細な説明も省略する。なお、他の実施形態に係る受信機と区別するために、第３の実施形態に係る受信機に参照符号５ｃを付与する。また、図１３は、当該受信機５ｃの構成を示すブロック図である。
【００７９】
図１３において、受信機５ｃの大略的な構成については第１の実施形態で説明した受信機５ａと同一であり、ＣＰＵおよびメモリの内部に構成される機能ブロックが異なる。したがって、第３の実施形態に係るＣＰＵおよびメモリにそれぞれ参照符号５６ｃおよび５７ｃを付して他の実施形態と区別し、受信機５ａと同一の構成要素については同一の参照符号を付して詳細な説明を省略する。また、受信機５ａと同一の構成要素における動作は、第１の実施形態と同様であるため、詳細な説明を省略する。
【００８０】
ＣＰＵ５６ｃは、ＮＩＴ取得部５６１、リモコンキーＩＤ判別部５６２、および選局制御部５６６を含んでいる。また、メモリ５７ｃは、選局情報格納部５７２を含んでいる。選局制御部５６６は、自主放送用のリモコンキーＩＤの判別結果に基づいて、チューナ部５１の選局制御を行う。選局情報格納部５７２は、受信機５ｃの電源がＯＦＦされた際に最後の選局情報を格納する記憶領域である。
【００８１】
次に、図１４を参照して、受信機５ｃが選局するチャネルを制御するために選局情報格納部５７２に選局情報を格納する動作について説明する。なお、図１４は、受信機５ｃが選局情報格納部５７２に選局情報を格納する動作を示すフローチャートである。
【００８２】
図１４において、ＮＩＴ取得部５６１およびリモコンキーＩＤ判別部５６２は、第１の実施形態と同様にＮＩＴを取得し、自主放送用のリモコンキーＩＤを判別している。このような状態で受信機５ｃが番組を選局した際（ステップＳ３１）、選局制御部５６６は、リモコンキーＩＤ判別部５６２が自主放送のリモコンキーＩＤを判別できているか否かを判断する（ステップＳ３２）。自主放送のリモコンキーＩＤを判別できている場合（すなわち、図９のステップＳ１６の処理が行われているとき）、選局制御部５６６は、現在視聴中の番組（チャネル）の変わりに、自主放送の選局情報を選局情報格納部５７２に格納して（ステップＳ３３）、当該フローチャートによる処理を終了する。一方、自主放送のリモコンキーＩＤを判別できていない場合（すなわち、図９のステップＳ１８の処理が行われているとき）、選局制御部５６６は、現在選局中の番組の選局情報を選局情報格納部５７２に格納し（ステップＳ３４）、当該フローチャートによる処理を終了する。
【００８３】
上述したフローチャートによる動作に基づいて、選局情報格納部５７２に選局情報が格納された後、受信機５ｃの電源ＯＦＦされ、再度受信機５ｃの電源がＯＮされる。受信機５ｃの電源がＯＮになると、選局制御部５６６は、選局情報格納部５７２に格納された選局情報に基づいてチャネルが選局されるようにチューナ部５１を制御する。
【００８４】
図１５は、受信機５ｃの電源ＯＦＦおよびＯＮによって表示装置６に表示される映像の一例である。図１５において、受信機５ｃは、視聴者からの選局操作等に基づいて番組を選局しており（ステップＳ３１）、表示装置６には放送局Ａの「プロ野球」の映像Ｄｐ１が表示されている。その後、受信機５ｃの電源がＯＦＦされた後、再度受信機５ｃの電源がＯＮされる。そのとき、自主放送の設定がないと表示装置６には電源ＯＦＦ直前に選局していた放送局Ａの映像Ｄｐ２が再び表示されるが、自主放送の設定があると表示装置６には自主放送の「お知らせ」の映像Ｄｐ３が表示される。つまり、自主放送の運用有無によって、受信機５ｃのラストチャネルの制御が可能となる。
【００８５】
このように、第３の実施形態では、自主放送用のリモコンキーＩＤを判別結果に基づいて、自主放送運用時には受信機５ｃにおいて電源ＯＮ直後の選局制御を行うことにより、電源ＯＮ時に常に自主放送を視聴者に視聴させることができ、自主放送の視聴を促す効果を向上することができる。
【００８６】
なお、上述したケーブルテレビ放送システムでは、ＣＡＴＶ網４へ送出するデジタル放送信号の変調方式として６４ＱＡＭを用いているが、他の方式でもかまわない。例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重変調方式）を用いてデジタル放送信号をＣＡＴＶ網４へ送出してもかまわない。
【産業上の利用可能性】
【００８７】
本発明に係るケーブルテレビ放送装置、受信機、ケーブルテレビ放送システム、ケーブルテレビ放送方法、およびケーブルテレビ受信方法は、自主放送を視聴する視聴者の利便性を向上させることができ、ケーブルテレビ網等を介して放送または受信する装置や方法として有用である。
【図面の簡単な説明】
【００８８】
【図１】本発明の第１〜第３の実施形態に係るケーブルテレビ放送システムの構成図
【図２】図１の自主放送装置１の構成を示すブロック図
【図３】デジタル放送信号に含まれるＮＩＴのデータ構造の一例を示す図
【図４】ＴＳ情報記述子のデータ構造の一例を示す図
【図５】図２の自主放送装置１を用いて地上デジタル放送を行う際の処理の流れを示すフローチャート
【図６】図５のフローチャートによる処理によって、地上デジタル放送のリモコンキーＩＤと自主放送運用時のリモコンキーＩＤとを設定した一例を示す図
【図７】本発明の第１の実施形態に係る受信機５ａの構成を示すブロック図
【図８】リモコン５０の２つの例を示す外観図
【図９】図７の受信機５ａがワンタッチボタンを設定する動作を示すフローチャート
【図１０】図９のフローチャートによる処理によって、リモコン５０ａまたは５０ｂに装備された各操作ボタンに割当てられた放送局および自主放送の一例を示す図
【図１１】本発明の第２の実施形態に係る受信機５ｂの構成を示すブロック図
【図１２】図１１のＥＰＧ並び順設定部５６４がＥＰＧ並び順を設定した場合のＥＰＧの表示例
【図１３】本発明の第３の実施形態に係る受信機５ｃの構成を示すブロック図
【図１４】図１３の受信機５ｃが選局情報格納部５７２に選局情報を格納する動作を示すフローチャート
【図１５】図１３の受信機５ｃの電源ＯＦＦおよびＯＮによって表示装置６に表示される映像の一例
【図１６】従来の受信機における地上デジタル放送の選局のための３桁または３桁＋枝番号の付与方法を示すフローチャート
【符号の説明】
【００８９】
１…自主放送装置
１１…ＴＳ入力部
１２…ＴＳ多重部
１３…６４ＱＡＭ変調部
１４…通信部
１５…ＮＩＴ取得部
１６…リモコンキーＩＤ判別部
１７…システム制御部
１７１…リモコンキーＩＤ設定部
２…再送信装置
３…混合部
４…ＣＡＴＶ網
５…受信機
６…表示装置
５０…リモコン
５０１…ワンタッチボタン群
５０２…自主放送選局ボタン
５１…チューナ部
５２…復調部
５３…ＴＳ分離部
５４…デコーダ部
５５…出力部
５６…ＣＰＵ
５６１…ＮＩＴ取得部
５６２…リモコンキーＩＤ判別部
５６３…リモコンキー動作対応部
５６４…ＥＰＧ並び順設定部
５６５…ＥＰＧ表示制御部
５６６…選局制御部
５７…メモリ
５７１…自主放送用リモコンキーＩＤ格納部
５７２…選局情報格納部
５８…リモコン受信部
【図１】
2006345380.tif 000003
【図２】
2006345380.tif 000004
【図３】
2006345380.tif 000005
【図４】
2006345380.tif 000006
【図５】
2006345380.tif 000007
【図６】
2006345380.tif 000008
【図７】
2006345380.tif 000009
【図８】
2006345380.tif 000010
【図９】
2006345380.tif 000011
【図１０】
2006345380.tif 000012
【図１１】
2006345380.tif 000013
【図１２】
2006345380.tif 000014
【図１３】
2006345380.tif 000015
【図１４】
2006345380.tif 000016
【図１５】
2006345380.tif 000017
【図１６】
2006345380.tif 000018